(57)【要約】【課題】案内地図を最適な縮尺でユーザの携帯端末に提供する。【解決手段】地図提供サーバ１は、携帯電話機２からの要求に基づいて、目印選択メニュー提供手段１３により、ポイント情報記憶手段１１から複数の目印の名称情報を取得し、この取得した複数の目印の名称情報から目印選択メニューを作成し、この作成した目印選択メニューを携帯電話機２へ提供し、携帯電話機２に提供した目印選択メニューによって選択された目印の位置情報を、縮尺地図提供手段１４により、ポイント情報記憶手段１１から取得し、この取得した目印の位置情報とポイント情報記憶手段１１に記憶された目的地の位置情報とから目印と目的地との間の位置関係を算出し、この算出した位置関係に応じた縮尺の地図情報を地図情報記憶手段１２から取得し、この取得した地図情報を携帯電話機２へ提供する。【選択図】  図１
2005037717.tif 000002
【特許請求の範囲】
【請求項１】
目的地ごとに予め準備した複数の縮尺の地図情報を記憶する地図情報記憶手段と、
前記目的地ごとに予め設定した複数の目印の名称情報と、前記目的地および目印の位置情報とを記憶するポイント情報記憶手段と、
携帯端末からの要求に基づいて前記ポイント情報記憶手段から前記複数の目印の名称情報を取得し、この取得した複数の目印の名称情報から目印選択メニューを作成し、前記携帯端末へ提供する目印選択メニュー提供手段と、
前記携帯端末に提供した目印選択メニューによって選択された目印の位置情報を前記ポイント情報記憶手段から取得し、この取得した目印の位置情報と前記ポイント情報記憶手段に記憶された目的地の位置情報とから目印と目的地との間の位置関係を算出し、この算出した位置関係に応じた縮尺の地図情報を前記地図情報記憶手段から取得し、前記携帯端末へ提供する縮尺地図提供手段と
を有した携帯端末向け案内地図提供装置。
【請求項２】
前記ポイント情報記憶手段は、さらに、前記目的地および目印のいずれかまたは両方に対してそれぞれ予め準備した写真画像情報または拡大画像情報のいずれかまたは両方を記憶するものであり、
さらに、前記携帯端末からの要求に基づいて前記ポイント情報記憶手段から前記目的地または目印の写真画像情報または拡大画像情報を取得し、前記携帯端末へ提供する写真画像提供手段
を有した請求項１記載の携帯端末向け案内地図提供装置。
【請求項３】
目的地ごとに予め準備した複数の縮尺の地図情報を記憶する地図情報記憶手段と、
前記目的地ごとに予め設定した複数の目印の名称情報と、前記目的地および目印の位置情報とを記憶するポイント情報記憶手段と、
携帯端末からの要求に基づいて前記目印情報記憶手段から前記複数の目印の名称情報を取得し、この取得した複数の目印の名称情報から目印選択メニューを作成し、前記携帯端末へ提供する目印選択メニュー提供手段と、
前記携帯端末に提供した目印選択メニューによって選択された目印の位置情報を前記ポイント情報記憶手段から取得し、この取得した目印の位置情報と前記ポイント情報記憶手段に記憶された目的地の位置情報とから目印と目的地との間の位置関係を算出し、この算出した位置関係に応じた縮尺の地図情報を前記地図情報記憶手段から取得し、前記携帯端末へ提供する縮尺地図提供手段と
してコンピュータを機能させるための携帯端末向け案内地図提供プログラム。
【請求項４】
前記ポイント情報記憶手段は、さらに、前記目的地および目印のいずれかまたは両方に対してそれぞれ予め準備した写真画像情報または拡大画像情報のいずれかまたは両方を記憶するものであり、
さらに、前記携帯端末からの要求に基づいて前記ポイント情報記憶手段から前記目的地または目印の写真画像情報または拡大画像情報を取得し、前記携帯端末へ提供する写真画像提供手段
としてコンピュータを機能させるための請求項３記載の携帯端末向け案内地図提供プログラム。
【請求項５】
目的地ごとに予め準備した複数の縮尺の地図情報を記憶する地図情報記憶手段と、
前記目的地ごとに予め設定した複数の目印の名称情報と、前記目的地および目印の位置情報とを記憶するポイント情報記憶手段と
を用いた携帯端末向け案内地図提供方法であって、
携帯端末からの要求に基づいて前記ポイント情報記憶手段から前記複数の目印の名称情報を取得するステップと、
この取得した複数の目印の名称情報から目印選択メニューを作成するステップと、
この作成した目印選択メニューを前記携帯端末へ提供するステップと、
前記携帯端末に提供した目印選択メニューによって選択された目印の位置情報を前記ポイント情報記憶手段から取得するステップと、
この取得した目印の位置情報と前記ポイント情報記憶手段に記憶された目的地の位置情報とから目印と目的地との間の位置関係を算出するステップと、
この算出した位置関係に応じた縮尺の地図情報を前記地図情報記憶手段から取得するステップと、
この取得した地図情報を前記携帯端末へ提供するステップと
を含む携帯端末向け案内地図提供方法。
【請求項６】
さらに、前記ポイント情報記憶手段に、前記目的地および目印のいずれかまたは両方に対してそれぞれ予め準備した写真画像情報または拡大画像情報のいずれかまたは両方を記憶したものを用いた携帯端末向け案内地図提供方法であって、
前記携帯端末からの要求に基づいて前記ポイント情報記憶手段から前記目的地または目印の写真画像情報または拡大画像情報を取得するステップと、
この取得した写真画像情報または拡大画像情報を前記携帯端末へ提供するステップと
を含む請求項５記載の携帯端末向け案内地図提供方法。
【発明の詳細な説明】
【技術分野】
【０００１】
本発明は、携帯電話機やＰＤＡ（Personal Digital Assistance：携帯情報端末）等の携帯端末に対して案内地図を提供する携帯端末向け案内地図提供装置、案内地図提供プログラムおよび案内地図提供方法に関する。
【背景技術】
【０００２】
冠婚葬祭、新規開店や分譲などの宣伝、広告を目的とする印刷物等には、その会場、店舗や分譲地などの場所を示す案内地図を掲載するのが一般的である。このように印刷物等に掲載されている案内地図は、かなり簡略化されており、縮尺も正確ではない。しかも、掲載されている案内地図は、印刷物の大きさの制約上、一図だけというのがほとんどである。
【０００３】
しかしながら、上述のような冠婚葬祭、新規開店や分譲などの初めて行く場所や行く機会の少ない場所へ案内するには、簡略化され、正確でない、さらに一図だけしかないという印刷物に掲載の案内地図だけでは不十分である。しかも、冠婚葬祭などの決められた時間に到着しなければならないような状況では、慌てて道を間違える可能性も高い。
【０００４】
ところで、車などに搭載されるナビゲーションシステムでは、ＤＶＤ−ＲＯＭなどの記録媒体に記録された地図情報を目的に応じて任意の縮尺で表示することが可能である。例えば、特許文献１には、経路上の２点を抽出し、この２点間の位置情報に基づいて、表示する地図の縮尺を決定し、この決定された縮尺で地図を描画するようにしたものが記載されている。特許文献２には、検索基点および検索した全ての施設が１画面内に入るように縮尺を変えて地図画像を表示するようにしたものが記載されている。
【０００５】
【特許文献１】特開平１０−３１８７７４号公報
【特許文献２】特開平９−２９２２６２号公報
【発明の開示】
【発明が解決しようとする課題】
【０００６】
ところが、ナビゲーションシステムのようにＤＶＤ−ＲＯＭなどによって地図情報が提供されるものの場合、ＤＶＤ−ＲＯＭなどの容量に制限があるため、小さな会場や新規開店店舗などは情報として記録されていないことがある。また、ナビゲーションシステムの利用は増えているものの、未だ普及しているとは言えない。
【０００７】
そのため、このようなナビゲーションシステムを、上記従来の印刷物等に掲載されている案内地図に代えて使用することは困難である。また仮に、ＤＶＤ−ＲＯＭに案内地図の情報を記録したとしても、これを利用するユーザに配布しなければ機能しない。特に分譲地などの案内地図の場合には、その都度目的地が変わるため、ＤＶＤ−ＲＯＭを頻繁に更新しなければならなくなる。
【０００８】
そこで、本発明においては、従来、冠婚葬祭、新規開店や分譲などの宣伝、広告を目的とする印刷物等に掲載されていたような案内地図を最適な縮尺でユーザの携帯端末に提供することが可能な携帯端末向け案内地図提供装置、案内地図提供プログラムおよび案内地図提供方法を提供することを目的とする。
【課題を解決するための手段】
【０００９】
本発明の携帯端末向け案内地図提供装置は、目的地ごとに予め準備した複数の縮尺の地図情報を記憶する地図情報記憶手段と、目的地ごとに予め設定した複数の目印の名称情報と、目的地および目印の位置情報とを記憶するポイント情報記憶手段と、携帯端末からの要求に基づいてポイント情報記憶手段から複数の目印の名称情報を取得し、この取得した複数の目印の名称情報から目印選択メニューを作成し、携帯端末へ提供する目印選択メニュー提供手段と、携帯端末に提供した目印選択メニューによって選択された目印の位置情報をポイント情報記憶手段から取得し、この取得した目印の位置情報とポイント情報記憶手段に記憶された目的地の位置情報とから目印と目的地との間の位置関係を算出し、この算出した位置関係に応じた縮尺の地図情報を地図情報記憶手段から取得し、携帯端末へ提供する縮尺地図提供手段とを有するものである。
【００１０】
本発明の携帯端末向け案内地図提供プログラムは、目的地ごとに予め準備した複数の縮尺の地図情報を記憶する地図情報記憶手段と、目的地ごとに予め設定した複数の目印の名称情報と、目的地および目印の位置情報とを記憶するポイント情報記憶手段と、携帯端末からの要求に基づいて目印情報記憶手段から複数の目印の名称情報を取得し、この取得した複数の目印の名称情報から目印選択メニューを作成し、携帯端末へ提供する目印選択メニュー提供手段と、携帯端末に提供した目印選択メニューによって選択された目印の位置情報をポイント情報記憶手段から取得し、この取得した目印の位置情報とポイント情報記憶手段に記憶された目的地の位置情報とから目印と目的地との間の位置関係を算出し、この算出した位置関係に応じた縮尺の地図情報を地図情報記憶手段から取得し、携帯端末へ提供する縮尺地図提供手段としてコンピュータを機能させるためのものである。
【００１１】
本発明の携帯端末向け案内地図提供方法は、目的地ごとに予め準備した複数の縮尺の地図情報を記憶する地図情報記憶手段と、目的地ごとに予め設定した複数の目印の名称情報と、目的地および目印の位置情報とを記憶するポイント情報記憶手段とを用いた案内地図提供方法であって、携帯端末からの要求に基づいてポイント情報記憶手段から複数の目印の名称情報を取得するステップと、この取得した複数の目印の名称情報から目印選択メニューを作成するステップと、この作成した目印選択メニューを携帯端末へ提供するステップと、携帯端末に提供した目印選択メニューによって選択された目印の位置情報をポイント情報記憶手段から取得するステップと、この取得した目印の位置情報とポイント情報記憶手段に記憶された目的地の位置情報とから目印と目的地との間の位置関係を算出するステップと、この算出した位置関係に応じた縮尺の地図情報を地図情報記憶手段から取得するステップと、この取得した地図情報を携帯端末へ提供するステップとを含む。
【００１２】
上記本発明の携帯端末向け案内地図提供装置、案内地図提供プログラムおよび案内地図提供方法では、冠婚葬祭、新規開店や分譲などの案内に関して、目的地ごとに予め準備した複数の縮尺の地図情報を地図情報記憶手段に記憶させ、目的地ごとに予め設定した複数の目印の名称情報と、目的地および目印の位置情報とをポイント情報記憶手段に記憶させておく。そして、ユーザが携帯端末から案内地図の提供を要求すると、この携帯端末からの要求に基づいてポイント情報記憶手段から複数の目印の名称情報が取得され、この取得された複数の目印の名称情報から目印選択メニューが作成され、この作成された目印選択メニューが携帯端末へ提供される。ユーザは、携帯端末によりこの目印選択メニューの中から目印を選択する、この選択された目印の位置情報がポイント情報記憶手段から取得され、この取得された目印の位置情報とポイント情報記憶手段に記憶された目的地の位置情報とから目印と目的地との間の位置関係が算出され、この算出された位置関係に応じた縮尺の地図情報が地図情報記憶手段から取得され、この取得された地図情報が携帯端末へ提供される。
【発明の効果】
【００１３】
本発明によれば、目的地ごとに予め準備された複数の縮尺の地図の中から、ユーザが選択した目印と目的地との位置関係に応じた縮尺の地図が選択されて、ユーザの携帯端末に提供されるため、冠婚葬祭などの小さな会場、新規開店店舗や分譲地などを目的地とする場合であっても、その目的地ごとに複数の縮尺の地図を準備することで、従来、印刷物等に掲載されていたような案内地図を最適な縮尺でユーザの携帯端末に提供することが可能となる。
【発明を実施するための最良の形態】
【００１４】
図１は本発明の実施の形態における案内地図提供システムの全体構成を示すブロック図、図２は図１のポイント情報記憶手段に記憶される情報の例を示す図、図３は図１の地図情報記憶手段に記憶される地図情報の例を示す図である。
【００１５】
図１において、本発明の実施の形態における案内地図提供システムは、案内地図提供装置としての地図提供サーバ１と、地図提供サーバ１に電気通信回線としてのインターネット（図示せず。）を介して接続可能な携帯端末としての携帯電話機２とにより構成される。
【００１６】
地図提供サーバ１は、目的地および目印（以下、これらを「ポイント」と総称する。）の名称情報、位置情報、拡大画像情報および写真画像情報を記憶するポイント情報記憶手段１１と、目的地ごとに予め準備した複数の縮尺の地図情報を記憶する地図情報記憶手段１２とを備える。
【００１７】
ポイント情報記憶手段１１は、図２に示すように、名称情報として各ポイントの名称を記憶する。また、ポイント情報記憶手段１１は、この各ポイントの名称に関連付けて、位置情報としての座標（例えば、緯度・経度）を記憶する。さらに、ポイント情報記憶手段１１は、各ポイントの拡大画像情報として各ポイントの周辺の拡大地図画像を、各ポイントの写真画像情報として各ポイント周辺の写真画像を記憶する。
【００１８】
ところで、ポイント情報記憶手段１１に記憶される各ポイントに関する情報は、例えば名称情報の５０音順に格納されるが、各ポイントから目的地に到達するまでに通過するポイントについての関連付け情報（図示せず。）も記憶されている。そして、この各ポイントから目的地までに通過する各ポイント間の距離に関する情報について、図２に示すように記憶されている。
【００１９】
地図情報記憶手段１２は、図３に示すように目的地Ａ，Ｂ，…ごとに予め準備した複数の縮尺、例えば縮尺ａ，ｂ，ｃ，ｄの各地図情報を記憶する。ここで、目的地Ａ，Ｂ，…ごととは、本実施形態における案内地図提供システムを利用して案内地図をユーザに提供しようとする会場、店舗や分譲地などの場所（目的地）ごとを意味する。したがって、図２に示す情報は、目的地Ａ，Ｂ，…ごとにそれぞれ個別に設定されることになる。
【００２０】
図１に戻って、地図提供サーバ１は、携帯電話機２からの要求に基づいてそれぞれ目印選択メニューを提供する目印選択メニュー提供手段１３と、地図情報を提供する縮尺地図提供手段１４と、拡大画像を提供する拡大画像提供手段１５と、写真画像を提供する写真画像提供手段１６とを備える。
【００２１】
目印選択メニュー提供手段１３は、携帯電話機２からの要求に基づいてポイント情報記憶手段１１に記憶されている複数の目印の名称情報を取得し、この取得した複数の目印の名称情報から図４に示すような目印選択メニューを作成し、携帯電話機２へ提供する。この目印選択メニューが提供された携帯電話機２では、この目印選択メニューの目印名称一覧の中から所望の目印を選択することが可能である。携帯電話機２によって選択された内容は、携帯電話機２から地図提供サーバ１へ送信される。
【００２２】
縮尺地図提供手段１４は、携帯電話機２に提供した目印選択メニューによって選択された目印の位置情報をポイント情報記憶手段１１から取得し、この取得した目印の位置情報とポイント情報記憶手段１１に記憶された目的地の位置情報とから目印と目的地との間の位置関係を算出し、この算出した位置関係に応じた縮尺の地図情報を地図情報記憶手段１２から取得し、携帯電話機２へ提供する。
【００２３】
拡大画像提供手段１５は、携帯電話機２からの要求に基づいてポイント情報記憶手段１１から目的地または目印の拡大画像情報を取得し、携帯電話機２へ提供する。このとき、拡大画像提供手段１５は、携帯電話機２に直前に提供している目的地または目印に対応するポイントの周辺の拡大地図画像をポイント情報記憶手段１１から取得し、携帯電話機２へ提供する。
【００２４】
写真画像提供手段１６は、携帯電話機２からの要求に基づいてポイント情報記憶手段１１から目的地または目印の写真画像情報を取得し、携帯電話機２へ提供する。このとき、拡大画像提供手段１５は、携帯電話機２に直前に提供している目的地または目印に対応するポイントの周辺の写真画像をポイント情報記憶手段１１から取得し、携帯電話機２へ提供する。
【００２５】
以下、上記構成の案内地図サーバ１による携帯電話機２への案内地図の提供について、図５のフロー図に従って説明する。まず、ユーザが、パンフレットや広告等に掲載されている案内地図のＵＲＬ（Uniform Resource Locator）アドレスに基づいて携帯電話機２により地図提供サーバ１へ案内地図を要求すると、地図提供サーバ１は、以下のステップに従って処理を行う。なお、案内地図のＵＲＬアドレスは、会場、店舗や分譲地などの場所（目的地）ごとに付与されたものとする。
【００２６】
（ステップＳ１０１）案内地図サーバ１の目印選択メニュー提供手段１３は、携帯電話機２からの要求に基づいて、ポイント情報記憶手段１１からＵＲＬアドレスに該当する目的地に対して予め設定された複数の目印の名称情報を取得する。目印選択メニュー提供手段１３は、（ステップＳ１０２）取得した複数の目印の名称情報から図４に示すような目印選択メニューを作成し、（ステップＳ１０３）作成した目印選択メニューを携帯電話機２へ提供する。
【００２７】
携帯電話機２のユーザによって目印選択メニューの中から目印が選択されると、（ステップＳ１０４）案内地図サーバ１の縮尺地図提供手段１４は、この選択された目印の位置情報をポイント情報記憶手段１１から取得する。（ステップＳ１０５）また、縮尺地図提供手段１４は、目的地の位置情報をポイント記憶手段１１から取得する。（ステップＳ１０６）縮尺地図提供手段１４は、取得した目印および目的地の位置情報に基づいて目印と目的地との間の位置関係、例えば２点間距離を算出する。
【００２８】
（ステップＳ１０７）縮尺地図提供手段１４は、算出した位置関係に応じた縮尺の地図情報を、地図情報記憶手段１２から取得する。（ステップＳ１０８）縮尺地図提供手段１４は、取得した地図情報を携帯電話機２へ提供する。携帯電話機２の画面上には、図６（ａ）に示すような縮尺地図２１が表示される。
【００２９】
（ステップＳ１０９）ここで、ユーザによって縮尺地図２１に添付された拡大画像要求ボタン２２が指示されると、（ステップＳ１１０）案内地図サーバ１の拡大画像提供手段１５は、ここで選択されている目印に対応するポイント周辺の拡大地図画像をポイント情報記憶手段１１から取得し、（ステップＳ１１１）携帯電話機２へ提供する。携帯電話機２の画面上には、図６（ｂ）に示すような拡大地図２３が表示される。
【００３０】
ところで、案内地図サーバ１の目印選択メニュー提供手段１３は、一旦、携帯電話機２によって目印の選択がなされると、その目印から目的地に到達するまでに通過するポイントについての関連付け情報をポイント情報記憶手段１１から取得し、その選択された目印から目的地に到達するまでに通過するポイントの一覧を目印選択メニューとして作成し、携帯電話機２へ提供する。
【００３１】
図６（ａ）に示すように、この通過ポイント一覧の目印選択メニュー２４には、選択された目印から目的地に到達するまでに通過するポイントの順に各ポイントの名称とポイント間距離が表示されている。携帯電話機２のユーザは、この目印選択メニュー２４の中から次のポイントを目印として選択することが可能である。携帯電話機２によってポイントの選択がなされると、案内地図サーバ１は、上記と同様のステップにより最適な縮尺の地図情報を縮尺地図提供手段１４により地図情報記憶手段１２から取得し、順次携帯電話機２へ提供する（図６（ａ）〜（ｄ）を参照。）
【００３２】
そして、最後に目印選択メニュー２４によって目的地が選択されると、本例では案内地図サーバ１はこの選択を写真画像の要求であるとみなす（ステップＳ１１２）。案内地図提供サーバ１の写真画像提供手段１６は、（ステップＳ１１３）目的地に対応するポイント周辺の写真画像をポイント情報記憶手段１１から取得し、（ステップＳ１１４）携帯電話機２へ提供する。携帯電話機２の画面上には、図６（ｅ）に示すような写真画像２５が表示される。
【００３３】
以上のように、本実施形態における案内地図提供システムによれば、目的地Ａ，Ｂ，…ごとに予め準備された複数の縮尺ａ，ｂ，ｃ，ｄの地図の中から、ユーザが選択した目印と目的地との位置関係に応じた縮尺の地図が選択されて、ユーザの携帯電話機２に提供されるため、冠婚葬祭などの小さな会場、新規開店店舗や分譲地などを目的地とする場合であっても、その目的地ごとに複数の縮尺の地図を準備することで、従来、印刷物等に掲載されていたような案内地図を最適な縮尺でユーザの携帯電話機２に提供することが可能となる。
【産業上の利用可能性】
【００３４】
本発明は、冠婚葬祭などの小さな会場、新規開店店舗や分譲地などを目的地とする案内地図を、表示領域が小さい範囲に限られている携帯電話機やＰＤＡ等の携帯端末に対して提供する場合に有用である。
【図面の簡単な説明】
【００３５】
【図１】本発明の実施の形態における案内地図提供システムの全体構成を示すブロック図である。
【図２】図１のポイント情報記憶手段に記憶される情報の例を示す図である。
【図３】図１の地図情報記憶手段に記憶される地図情報の例を示す図である。
【図４】目印選択メニューの一例を示す図である。
【図５】案内地図サーバによる携帯電話機への案内地図提供のフロー図である。
【図６】携帯電話機に順次表示される案内地図の例を示す図である。
【符号の説明】
【００３６】
１  案内地図サーバ
２  携帯電話機
１１  ポイント情報記憶手段
１２  地図情報記憶手段
１３  目印選択メニュー提供手段
１４  縮尺地図提供手段
１５  拡大画像提供手段
１６  写真画像提供手段
２１  縮尺地図
２２  拡大画像要求ボタン
２３  拡大地図
２４  目印選択メニュー
２５  写真画像
【図１】
2005037717.tif 000003
【図２】
2005037717.tif 000004
【図３】
2005037717.tif 000005
【図４】
2005037717.tif 000006
【図５】
2005037717.tif 000007
【図６】
2005037717.tif 000008